(57)【要約】【課題】飛び越し走査信号を順次走査信号に変換するとき、フィールド単位の遅延が発生することなく、かつ簡単な構成で映像の破綻を来すことのない静止画・動画ともに良好な画質を得る。【解決手段】２つのフィールド遅延部を直列に設け、隣接する３フィールドの映像信号を得る。前後フィールド信号の２フィールドは補間回路によりフィールド内画素より補間信号を作成する。この前後フィールドの補間信号と、中央フィールドの映像信号の３画素値を比較し、前後フィールドのどちらかが中央値になった場合には、現在フィールド側の補間回路の出力に中央フィールドより垂直高域成分を抽出した信号を加算し、中央フィールドが中央値となった場合には、現在フィールド側の補間信号を補間値選択回路より出力、倍速変換部で倍速読み出しし、選択回路で交互に読み出し、順次走査の映像信号を作成する。【選択図】  図１
2004356827.tif 000002
【特許請求の範囲】
【請求項１】
連続する（Ｎ−２）、（Ｎ−１）、Ｎフィールドの飛び越し走査の映像信号が入力されたとき、（Ｎ−２）、（Ｎ−１）フィールドの映像信号を夫々記憶する第１、第２のフィールドメモリと、Ｎフィールドの映像信号から、順次走査におけるＮフィールドの補間走査線を生成する第１の補間手段と、前記第２のフィールドメモリの出力として得られる（Ｎー２）フィールドの映像信号から、順次走査の補間画素値を生成する第２の補間手段と、前記第１の補間手段の出力、前記第１のフィールドメモリの出力、前記第２の補間出力のうち、画素ごとに中間の画素値を有するものを判定し、切り替え制御信号を出力する中間値比較手段と、前記第１のフィールドメモリから出力される映像信号の垂直高域成分を抽出するフィルター手段と、前記第１の補間手段の出力または、前記第１の補間手段と前記フィールター手段との加算値のいずれかを、前記中間値比較手段の判定結果に応じて選択して順次走査の補間走査線を生成する補間値選択手段と、を少なくとも備えたことを特徴とする映像信号処理装置。
【請求項２】
前記第１の補間手段および前記第２の補間手段は、同一フィールドの垂直方向に位置する２つの画素値より平均値を算出し、補間走査線を生成することを特徴とする請求項１に記載の映像信号処理装置。
【請求項３】
前記中間値比較手段は、前記第１の補間手段または前記第２の補間手段の出力のいずれかが中間値になった場合に前記第１の補間手段と、前記フィルタ手段の出力が加算された補間画素値を選択する制御信号を補間値選択回路に出力することを特徴とする請求項１に記載の映像信号処理装置。
【請求項４】
連続する（Ｎ−２）、（Ｎ−１）、Ｎフィールドの飛び越し走査の映像信号が入力されたとき、（Ｎ−２）、（Ｎ−１）フィールドの映像信号を夫々記憶する第１、第２のフィールドメモリと、Ｎフィールドの映像信号から、順次走査におけるＮフィールドの補間走査線を生成する第１の補間手段と、前記第２のフィールドメモリの出力として得られる（Ｎー２）フィールドの映像信号から、順次走査の補間画素値を生成する第２の補間手段と、前記第１の補間手段の出力、前記第１のフィールドメモリの出力、前記第２の補間出力のうち、画素ごとに中間の画素値を有するものを判定し、切り替え制御信号を出力する中間値比較手段と、前記第１のフィールドメモリから出力される映像信号の垂直高域成分を抽出するフィルター手段と、前記第１の補間手段と前記フィールター手段との加算出力と、前記第１のフィールドメモリに入力されるＮフィールドの同一フィールドの垂直方向に隣接する２つの補間画素値の、３つの画素値を比較し、制御信号を発生する第１の補間値選択手段と、前記中間値比較手段の判定結果および前記第１の補間値選択手段の出力により、前記第１の補間手段の出力、または前記第１の補間手段と前記フィルター手段との加算値のいずれかを選択する第２の補間値選択手段と、を少なくとも備えたことを特徴とする映像信号処理装置。
【請求項５】
前記第１の補間値選択手段は、前記１の補間手段と前記フィルター手段との加算値が、前記第１のフィールドメモリに入力されるＮフィールドの同一フィールドの垂直方向に位置する２つの補間画素値の間の値になるかを判別することを特徴とする請求項４に記載の映像信号処理装置。
【発明の詳細な説明】
【０００１】
【発明の属する技術分野】
本発明は飛び越し走査の映像信号を順次走査の映像信号に変換する映像信号処理装置に関するものである。
【０００２】
【従来の技術】
従来のインターレース信号をプログレッシブ信号に変換する映像信号処理装置としては、例えば特開平９−２２４２２３号公報に示されたものがある。図８は従来の映像信号処理装置の一例を示したブロック図である。図８において入力端子８０１は飛び越し走査の映像信号を入力する入力端子である。第１のフィールドメモリ８０２及び第２のフィールドメモリ８０３は飛び越し走査の映像信号を１フィールド期間遅延するフィールドメモリであり、直列に接続される。補間回路８０４はフィールドメモリ８０２の出力する映像信号を用いて、同一フィールド内の画素より補間走査線を生成する補間回路である。
【０００３】
中間値選択回路８０５は、フィールドメモリ８０３の出力する映像信号の画素と、補間回路８０４の出力する映像信号の画素と、入力端子８０１の映像信号の画素のレベルを比較し、中間レベルの画素を画素周期毎に選択する回路である。倍速変換部８０６、８０７は入力された映像信号を記憶し、読み出し時に映像信号の水平走査期間を１／２に圧縮して倍レート記憶内容を出力するメモリである。倍速変換部８０６は中間値選択回路８０５の出力を、倍速変換部８０７はフィールドメモリ８０２の出力を速度変換する。選択回路８０８は倍速変換部８０６、８０７の出力を１ライン周期毎に切り替え、出力端子８０９を介して順次走査の映像信号を生成する回路である。
【０００４】
このように構成された従来の映像信号処理装置の動作を説明する。図８において入力端子８０１には飛び越し走査の映像信号が入力されると、フィールドメモリ８０２、８０３によって夫々１フィールド期間遅延される。そしてフィールドメモリ８０３から２フィールド即ち１フレーム期間遅延された映像信号が出力される。フィールドメモリ８０２の出力は補間回路８０４に入力され、ここで同一フィールド内の画素より補間処理が行われ、補間走査線が生成される。
【０００５】
補間回路８０４で生成されたフィールド内補間走査線と、フィールド間補間のためのフィールドメモリ８０３の出力と、入力端子８０１の映像信号は中間値選択回路８０５に入力される。中間値選択回路８０５では入力される３画素のうち、中間レベルの画素値を持つものを選択し、これを補間走査線の画素として出力する。
【０００６】
このようにして中間値選択回路８０５で得られた補間走査線と、フィールドメモリ８０２の出力である実走査線は夫々倍速変換部８０６と８０７に入力される。倍速変換部８０６、８０７では通常の速度で書き込まれた走査線の画素データが２倍の速度で読み出される。選択回路８０８は倍速変換部８０６と８０７の出力を１ライン周期で交互に切り換え、順次走査化した映像信号を出力端子８０９より出力する。
【０００７】
フィールド内補間走査線を生成する補間回路８０４の構成は、例えば同一フィールド内の上下ラインの平均値を有する補間走査線が出力される。中間値選択回路８０５では、入力される３つの画素値の大小を比較し、中間値となる信号を出力する。
【０００８】
この中間値が出力される時の補間の様子を図９に示す。図９（ａ）は（Ｎ−１）フィールドが中間値となる場合であり、Ｎフィールドの補間点（黒丸部）にはＢ画素の画素値が補間される。図９（ｂ）はＮフィールドが中間値となる場合であり、Ｎフィールドの補間点（黒丸部）にはＥ画素とＦ画素の平均値が補間される。さらに図９（ｃ）は（Ｎ＋１）フィールドが中間値となる場合であり、Ｎフィールドの補間点（黒丸部）にはＩ画素の画素値が補間される。
【０００９】
このように、隣接する３フィールドの中間値をとって補間走査線を生成することで、簡単な構成で動画／静止画に関わらず良好な画質の走査線補間処理を行うことができる（例えば、特許文献１参照）。
【００１０】
【特許文献１】
特開平９−２２４２２３号公報
【００１１】
【発明が解決しようとする課題】
しかしながら前記のような構成では、現画素および補間画素値を生成するフィールドが現フィールドである（Ｎ＋１）フィールドに対し１フィールド遅延したＮフィールドを使用して順次走査線を作成しているため、１フィールド遅延することとなり、音声信号に対しても１フィールド遅延されるため、放送局等での編集で音声と映像の関係が合わず、さらにインターレース信号そのものを表示する放送局向けのＣＲＴ表示装置に対して、映像のシーンチェンジ（切り替え）が１フィールド異なり映像信号管理上に支障を来たすという課題を有していた。
【００１２】
本発明はかかる点に鑑み、簡単な構成で動画／静止画に関わらず良好な画質の走査線補間処理を行うとともにフィールド単位遅延のない映像信号処理装置を提供することを目的とする。
【００１３】
また、請求項４記載の発明は、前記目的に加え、中間値選択回路で選択・出力される補間画素値が垂直方向に隣接する上下の現画素値に対し、相関がなく破綻が目立つ映像であることを検出・補正することで、映像が大きく破綻することなく走査線補間を行うことができる映像信号処理装置を提供することを目的とする。
【００１４】
【課題を解決するための手段】
上記の目的を達成するために、第１の本発明は、連続する（Ｎ−２）、（Ｎ−１）、Ｎフィールドの飛び越し走査の映像信号が入力されたとき、（Ｎ−２）、（Ｎ−１）フィールドの映像信号を夫々記憶する第１、第２のフィールドメモリと、Ｎフィールドの映像信号から、順次走査におけるＮフィールドの補間走査線を生成する第１の補間手段と、前記第２のフィールドメモリの出力として得られる（Ｎー２）フィールドの映像信号から、順次走査の補間画素値を生成する第２の補間手段と、前記第１の補間手段の出力、前記第１のフィールドメモリの出力、前記第２の補間出力のうち、画素ごとに中間の画素値を有するものを判定し、切り替え制御信号を出力する中間値比較手段と、前記第１のフィールドメモリから出力される映像信号の垂直高域成分を抽出するフィルター手段と、前記第１の補間手段の出力または、前記第１の補間手段と前記フィールター手段との加算値のいずれかを前記中間値比較手段の判定結果に応じて選択して順次走査の補間走査線を生成する補間値選択手段と、を備えたことを特徴とするものである。
【００１５】
また、第２の本発明は、前記第１の補間手段および前記第２の補間手段は、同一フィールドの垂直方向に位置する２つの画素値より平均値を算出し、補間走査線を生成することを特徴とするものである。
【００１６】
また、第３の本発明は、前記中間値比較手段は、前記第１の補間手段または前記第２の補間手段の出力のいずれかが中間値になった場合に前記第１の補間手段と、前記フィルタ手段の出力が加算された補間画素値を選択する制御信号を補間値選択回路に出力することを特徴とするものである。
【００１７】
また、第４の本発明は、連続する（Ｎ−２）、（Ｎ−１）、Ｎフィールドの飛び越し走査の映像信号が入力されたとき、（Ｎ−２）、（Ｎ−１）フィールドの映像信号を夫々記憶する第１、第２のフィールドメモリと、Ｎフィールドの映像信号から、順次走査におけるＮフィールドの補間走査線を生成する第１の補間手段と、前記第２のフィールドメモリの出力として得られる（Ｎー２）フィールドの映像信号から、順次走査の補間画素値を生成する第２の補間手段と、前記第１の補間手段の出力、前記第１のフィールドメモリの出力、前記第２の補間出力のうち、画素ごとに中間の画素値を有するものを判定し、切り替え制御信号を出力する中間値比較手段と、前記第１のフィールドメモリから出力される映像信号の垂直高域成分を抽出するフィルター手段と、前記第１の補間手段と前記フィールター手段との加算出力と、前記第１のフィールドメモリに入力されるＮフィールドの同一フィールドの垂直方向に隣接する２つの補間画素値の、３つの画素値を比較し、制御信号を発生する第１の補間値選択手段と、前記中間値比較手段の判定結果および前記第１の補間値選択手段の出力により、前記第１の補間手段の出力、または前記第１の補間手段と前記フィルター手段との加算値のいずれかを選択する第２の補間値選択手段と、を少なくとも備えたことを特徴とするものである。
【００１８】
また、第５の本発明は、前記第１の補間値選択手段は、前記１の補間手段と前記フィルター手段との加算値が、前記第１のフィールドメモリに入力されるＮフィールドの同一フィールドの垂直方向に位置する２つの補間画素値の間の値になるかを判別することを特徴とするものである。
【００１９】
【発明の実施の形態】
以下、本発明の実施の形態を、図面を参照して説明する。
【００２０】
（実施の形態１）
本発明の実施の形態１における映像信号処理装置について図１〜４を用い説明する。図１は本発明の実施の形態１の映像信号処理装置のブロック図を示す。
【００２１】
図１に示す映像信号処理装置は、飛び越し走査の映像信号が入力される入力端子１０１と、入力端子１０１に入力された映像信号を１フィールド遅延させる第１のフィールドメモリ１０２と、フィールドメモリ１０２で遅延された映像信号をさらに１フィールド遅延させる第２のフィールドメモリ１０３と、フィールドメモリ１０２に入力（入力端子１０１の入力）される映像信号を用いて、同一フィールド内の２つの画素より補間走査線を生成する第１の補間回路１０４と、第２のフィールドメモリ１０３から出力される映像信号を用いて、同一フィールド内の２つの画素より補間走査線を生成する第２の補間回路１０５と、補間回路１０４の出力する映像信号の画素値と、第１のフィールドメモリ１０２から出力される映像信号の画素値と、補間回路１０５の出力する映像信号の画素値を比較し、３つの画素値より中間の画素値となるフィールドを判別する中間値比較回路１０６と、第１のフィールドメモリ１０２から出力される同一フィールド内の３つの画素より垂直高域成分を抽出するフィルター回路１０７と、第１の補間回路１０４の出力とフィルター回路１０７の出力を加算値を出力する加算値回路１０８と、中間値比較回路１０６の制御信号により、第１の補間回路１０４の出力または加算回路１０８の出力のどちらかを選択し出力する補間値選択回路１０９と、入力された映像信号を記憶し、読み出し時に映像信号の水平走査期間を１／２に圧縮して倍レートで記憶内容を出力する倍速変換部１１０、１１１と、倍速変換部１１０、１１１の出力を１ライン周期毎に切り替えて出力する選択回路１１２と、順次走査の映像信号を出力する出力端子１１３とから構成されている。
【００２２】
次に、以上のように構成された、実施の形態１の映像信号処理装置の動作を説明する。
【００２３】
図１において、入力端子１０１に飛び越し走査の映像信号が入力されると、フィールドメモリ１０２、１０３によって夫々１フィールド期間映像が遅延される。そしてフィールドメモリ１０３から２フィールド即ち１フレーム期間遅延された映像信号が出力される。入力端子１０１から入力される映像信号およびフィールドメモリ１０３のから出力される映像信号は補間回路１０４および補間回路１０５に入力され、ここでそれぞれの同一フィールド内の画素より補間処理が行われ、補間走査線が生成される。
【００２４】
この補間回路１０４、１０５の出力およびフィールドメモリ１０２から出力される映像信号が中間値比較回路１０６に入力され、この３つの画素値より中間値となる画素フィールドを判別する。そして判別の結果、補間回路１０４の出力または補間回路１０５の出力が中央値となった場合は、静止信号として中間値比較回路１０６から「Ｈｉｇｈ」の制御信号を出力し、フィールドメモリ１０２から出力される映像信号が中間値となった場合は、中間値比較回路１０６から「Ｌｏｗ」の制御信号を出力する。補間値選択回路１０９は、中間値比較回路１０６の制御信号によって、制御信号が「Ｌｏｗ」の時は補間回路１０４の出力を選択し、制御信号が「Ｈｉｇｈ」の時は補間回路１０４とフィルター回路１０８の出力より加算値を出力する加算回路１０８の出力を選択し、倍速変換回路１１２に出力する。
【００２５】
このようにして補間値選択回路１０９で得られた補間走査線と、実走査線となる入力端子１０１から入力される現フィールドの映像信号は夫々倍速変換部１１０と１１１に入力される。倍速変換部１１０、１１１では通常の速度で書き込まれた走査線の画素データが２倍の速度で読み出される。選択回路１１２は倍速変換部１１０と１１１の出力を１ライン周期で交互に切り換え、順次走査化した映像信号を出力端子１１３より出力する。
【００２６】
フィールド内補間走査線を生成する補間回路１０４および１０５は図２のような構成であり、入力端子２００、ラインメモリ２０１、加算器２０２、係数器２０３、出力端子２０４で構成される。入力端子２００にはインターレースの映像信号が入力される。加算器２０２ではラインメモリ２０１で１ライン期間遅延された映像信号と、入力端子２００から入力される映像信号が加算され、係数器２０３で振幅が１／２される。よって出力端子２０４からは同一フィールド内の垂直方向に隣接する２画素の平均値が出力される。
【００２７】
よって中間値選択回路１０６では、図３に示すように現フィールドであるＮフィールドの画素値Ａ，Ｂより補間回路１０４から出力される平均値ａと、フィールドメモリ１０２から出力される（Ｎ−１）フィールドの画素値Ｃ、フィールドメモリ１０３から出力される（Ｎ−２）フィールドの画素値Ｄ、Ｅより補間回路１０５から出力される平均値ｂの３画素値の大小関係が比較（図３点線部）され、補間回路１０５の出力または補間回路１０６の出力が中間値となった場合には、静止部分と判断し、中間値選択回路から「Ｈｉｇｈ」の制御信号を出力する。
【００２８】
フィルター回路１０８はフィールドメモリ１０２から出力される（Ｎ−１）フィールドの映像信号の垂直方向３画素より垂直高域成分を抽出する回路であり、例えば図４に示すように、フィールドメモリ１０２の出力する映像信号が入力端子４０１に入力される。この映像信号はラインメモリ４０２と４０３とで２ライン期間遅延された映像信号となり、この遅延信号と入力端子４０１から入力される信号とが加算器４０４で加算される。この加算信号は係数器４０５で振幅が１／２される。またラインメモリ４０２の出力は減算器４０６で係数器４０５の出力から減算され、さらに係数器４０７に入力され振幅が１／２される。これにより垂直高域フィルターを形成している。
【００２９】
図５（ａ）、（ｂ）は垂直高域フィルターによる解像度向上を示した図であり、図５（ａ）は１フィールド前の垂直高域成分を加算しない場合、図５（ｂ）は１フィールド前の垂直高域成分を加算した場合である。図において、白○は輝度レベル２５５の値を持った画素、黒○は輝度レベル０の値を持った画素であり、×部分が補間される画素部分である。
【００３０】
図５（ａ）のように補間画素×に同一フィールド内の２画素平均値を補間した場合、本来静止画であるため、現フィールドＮに対し１フィールド前の（Ｎ−１）フィールド画素Ａ（黒○：レベル０）を補間画素×に補間すべきでであるが、現フィールドの平均値を補間画素とするため、補間画素×はレベル１２８の画素値が補間されることとなり垂直方向にボケた映像となってしまう。
【００３１】
これに対し、本発明のように図１の中間値選択回路１０６により補間回路１０４、１０５の出力およびフィールドメモリ１０２の出力の３画素を比較し、中間となる画素フィールドを判別すれば、図５（ｂ）のように（Ｎ−２），Ｎフィールドで補間回路１０４，１０５それぞれで補間した補間画素値が等しくなるため、（Ｎ−１）フィールドの垂直高域成分を加算された加算回路の出力が補間値選択回路１１０から出力されることとなるため、図５（ｂ）に示すように補間画素×には
（Ａ＋Ｂ）／２＋｛Ｄ／２−（Ｃ＋Ｅ）／４｝
で計算される値が補間され、結局（Ｎ−１）フィールドの画素（黒○：レベル０）と値の等しいレベル０の補間値が補間画素×に補間されるため、図５（ａ）の場合のような垂直方向にボケることなく補間が行なわれる。このように垂直方向にエッジを持つような部分では、（Ｎ−１）フィールドの垂直高域成分をＮフィールドの画素に加算することとなり垂直解像度の劣化を防ぐことができる。
【００３２】
以上のように、実施の形態１によれば、（Ｎ−２）フィールドの同一フィールド内の垂直方向に隣接する２画素平均値、Ｎフィールドの同一フィールド内の垂直方向に隣接する２画素平均値および（Ｎ−１）フィールドの画素値を比較し、（Ｎ−２）フィールドの２画素平均値またはＮフィールドの２画素平均値が中間値となる場合には、現フィールドであるＮフィールド２画素平均値に（Ｎ−１）フィールドの垂直高域成分を加算するする構成とすることで、出力される映像信号がフィールド単位で遅延することがなく、さらに大きな映像破綻なく静止画像の解像度劣化を来たさない良好な画質を得ることが可能となる。
【００３３】
（実施の形態２）
次に実施の形態２における映像信号処理装置について、図６〜８を用い説明する。図６は実施の形態２の映像信号処理装置のブロック図を示したもので、図１に示した実施の形態１の各部に対応する部分には同一符号を付し、その説明を省略する。
【００３４】
図６において、６０１はＮフィールドの映像信号より垂直方向に隣接する２つの画素値を得、また加算回路１０８の出力より、この３画素を比較し、加算回路１０８からの出力が、Ｎフィールドの垂直方向に隣接する２つの画素値に等しいか、またはその間にあるかを判別する大小比較回路である。６０２は、中間値比較回路１０６および大小比較回路６０２の出力より、補間回路１０５の出力か加算回路１０８の出力を切り換える補間値切換回路である。
【００３５】
以上のような構成を有する、本発明の実施の形態２による映像信号処理装置について、以下その動作を説明する。
【００３６】
大小比較回路６０１には、入力端子１０１から入力されたＮフィールドの映像信号と加算回路１０８の出力が入力される。大小比較回路６０１では、入力端子１０１からの映像信号をラインメモリで１ライン遅延させ、Ｎフィールドの垂直方向に隣接する２つの画素を得、このＮフィールドの隣接する２つの画素と、加算回路１０８から出力されるＮフィールドの映像信号に（Ｎ−１）フィールドの高域成分の加算された信号の３画素を比較する。そして加算回路１０８の出力がＮフィールドの垂直方向に隣接する２画素の間の値であるか、またはそのどちらかと等しい場合には「Ｈｉｇｈ」の制御信号を出力し、加算回路１０８の出力がＮフィールドの垂直方向に隣接する２画素の間の値ではなく、かつどちらかの画素より大きいかまたは小さいときは「Ｌｏｗ」の制御信号を補間値選択回路６０２に出力する。
【００３７】
補間値選択回路６０２では、中間値選択回路１０６の出力および大小比較回路６０１の出力を元に、中間値選択回路１０５の出力が「Ｈｉｇｈ」でかつ大小比較回路６０１の出力も「Ｈｉｇｈ」のときのみ、（Ｎ−１）フィールドの垂直高域成分が加算された加算回路の出力を補間値選択回路６０２から出力する。
【００３８】
図７は、本構成の効果を説明するための１例を示した図で、図７（ａ）は画面の表示例である。図７（ａ）のような黒帯びが横方向に動いた場合、波形図は図７（ｂ）のようになる。図７（ｃ）は図７（ｂ）の点線で囲まれた部分の画素配置を示しており、図７（ｃ）の×部分が補間信号部分となる。図７（ａ）に示すような黒帯が横方向に動いた場合、（Ｎ−２）フィールドおよびＮフィールドの映像信号の各画素値はレベル２５５の信号となるため、中間値選択回路１０６での比較の結果、（Ｎ−２）フィールドおよびＮフィールドの画素が中間値となるため、Ｎフィールドの補間画素部分には加算回路１０８から出力される（Ｎ−１）フィールドの垂直方向に隣接する３画素から計算された垂直高域成分の加算された画素値が補間される。このとき、図７（ｃ）ｂ、ｃ部分は（Ｎ−１）フィールドの垂直方向に隣接する３画素値ともレベル０の信号であるため、フィルター回路１０７から出力される出力もレベル０の信号であるため、補間画素ｂ、ｃ（×）部分はその上下の値と同じ値が補間されることとなる。しかし、図７（ｃ）ａ，ｄ部分は（Ｎ−１）フィールドの垂直方向に隣接する３画素から計算された垂直高域成分はマイナスの値を持ったものとなるため、その結果ａ，ｄ部分の補間画素はその上下の現画素ラインよりも低い値が補間されてしまうこととなる。しかし、大小比較回路６０１において、Ｎフィールドの垂直方向に隣接する２つの画素と加算回路１０８の出力が比較された結果、加算回路１０８の出力が、Ｎフィールドの垂直方向に隣接する２つの画素値の間に無く、それよりも小さい値であるため、大小比較回路６０１からは「Ｌｏｗ」の制御信号が出力される。これにより、補間値選択回路６０２では、図７（ｃ）ａ，ｄ部分の補間画素はａ，ｄそれぞれの補間画素に隣接する上下の現画素の平均値が出力されることとなるため、
最終的に図７（ｃ）ａ，ｄ部分にはその上下現画素と同じレベル２５５の値が補間され、破綻のない映像が再現される。
【００３９】
以上のように、本実施の形態によれば、補間する画素の上下現ラインの２画素と、Ｎフィールドの上下現ラインの２画素平均値に（Ｎ−１）フィールドの垂直高域成分を加算した画素の３つを比較する大小比較回路を新たに設け、（Ｎ−１）フィールドの垂直高域成分を加算したときにその補間画素レベルがその上下に位置する現ライン画素の間にあるか、またはそのどちらかに等しいときにのみしか（Ｎ−１）フィールドの垂直高域成分が加算された信号を補間画素として選択しないため、フィールド単位の遅延が無く、さらに動画部分での破綻を防いだ画素補間を実現できるため、さらに良好な映像を得ること可能となる。
【００４０】
なお、実施の形態１および実施の形態２ではＮフィールドの補間画素生成に垂直方向に隣接する２画素の平均値を用いる場合について説明を行なったがこれに限定されるものではなく、垂直方向に隣接する多数の画素を用いて補間を行なうこともできることは言うまでもない。
【００４１】
【発明の効果】
以上説明したように、隣接する３フィールドの画素値を比較した結果、（Ｎ−２）フィールドまたはＮフィールドの画素値が中間となった場合にはＮフィールドの補間画素に（Ｎ−１）フィールドの垂直方向に隣接する画素より生成した垂直高域成分を加算することで、出力される映像信号がフィールド単位で遅延することがなく、さらに大きな映像破綻なく静止画像の解像度劣化を来たさない良好な画質を得ることが可能となる。また、さらに大小比較部を設けることで動画部分において（Ｎ−１）フィールドの垂直高域成分を加算することで破綻が目立つ場合にそれを検出し、Ｎフィールドのみの映像信号を用いて補間画素を生成するためフィールド単位の遅延が無く、さらに動画部分での破綻を防いだ画素補間を実現でき、その実用的効果は大きい。
【図面の簡単な説明】
【図１】本発明の実施の形態１における映像信号処理装置のブロック図
【図２】本発明の実施の形態１における映像信号処理装置の補間回路のブロック図
【図３】本発明の実施の形態１における映像信号処理装置の中間値比較回路で比較される部分を示した画素配置図
【図４】本発明の実施の形態１における映像信号処理装置のフィルター回路のブロック図
【図５】本発明の実施の形態１における映像信号処理装置の補間値選択回路の動作を説明した画素配置図
【図６】本発明の実施の形態２における映像信号処理装置のブロック図
【図７】本発明の実施の形態２における映像信号処理装置の動作波形図
【図８】従来の映像信号処理装置の構成例を示すブロック図
【図９】従来の映像信号処理装置の補間の様子を示した図
【符号の説明】
１０１，８０１  入力端子
１０２，１０３，８０２，８０３  フィールドメモリ
１０４，１０５、８０４  補間回路
１０６  中間値比較回路
１０７  フィルター回路
１０８  加算回路
１０９，６０２  補間値選択回路
１１０，１１１，８０６，８０７  倍速変換部
１１２，８０８  選択回路
１１３，８０９  出力端子
６０２  大小比較回路
【図１】
2004356827.tif 000003
【図２】
2004356827.tif 000004
【図３】
2004356827.tif 000005
【図４】
2004356827.tif 000006
【図５】
2004356827.tif 000007
【図６】
2004356827.tif 000008
【図７】
2004356827.tif 000009
【図８】
2004356827.tif 000010
【図９】
2004356827.tif 000011